(57)【要約】【課題】防音室の内観の見栄えをよくすること。【解決手段】連結具９の天井側取付部９ｃが、壁側取付部９ａが位置する壁パネル３と天井パネル５との間の空間を覆っているので、看者からは壁側取付部９ａが見えない。したがって、防音室１の内観の見栄えをよくできる。【選択図】図１
2004092300.tif 000002
【特許請求の範囲】
【請求項１】
壁パネルと天井パネルとを、前記壁パネルの内壁に取り付けられる壁側取付部と前記天井パネルの内壁に取り付けられる天井側取付部とを有する連結具によって互いに密着させながら連結した防音室において、
前記天井パネルの内壁は、前記壁パネルと前記天井パネルとが前記連結具によって連結した際に前記天井パネルが前記壁パネルと密着するところよりも下方に位置する取付面を有し、
前記壁側取付部は、前記壁パネルと前記天井パネルとが前記連結具によって連結した際に前記取付面とほぼ同じ高さに位置するか、または前記取付面よりも上方に位置しており、
前記天井側取付部は、その一端が前記壁側取付部の下端付近に連続しており、さらに前記取付面に取り付けられていること
を特徴とする防音室。
【請求項２】
請求項１記載の防音室において、
前記天井側取付部を覆う被覆物を備えたことを特徴とする防音室。
【請求項３】
請求項１又は２記載の防音室において、
前記壁パネルの内壁には、前記天井パネルを前記壁パネルに載せた際に前記取付面とほぼ同じ高さに位置するか、または前記取付面よりも上方に位置する差込穴が設けられており、
前記壁側取付部の少なくとも一部を前記差込穴に差し入れることにより前記壁側取付部を前記壁パネルに取り付けたことを特徴とする防音室。
【請求項４】
請求項１〜３の何れかに記載の防音室において、
前記天井側取付部には貫通穴が設けられており、
前記貫通穴を通した止めねじを、前記取付面にねじ入れることにより前記天井側取付部を前記取付面に取り付けるように構成したこと
を特徴とする防音室。
【請求項５】
請求項４記載の防音室において、
前記天井パネルを前記壁パネルに載せた際には、前記天井側取付部と前記取付面との間に隙間が生じるように構成されていることを特徴とする防音室。
【請求項６】
請求項１〜５の何れかに記載の防音室において、
前記天井パネルを前記壁パネルに載せた際に前記壁パネルと前記天井パネルとが当接するところには、弾性体が配されていることを特徴とする防音室。
【発明の詳細な説明】
【０００１】
【発明の属する技術分野】
本発明は、防音室に関する。
【０００２】
【従来の技術】
壁パネルや天井パネルを連結具によって互いに密着させながら連結した防音室が知られている（例えば、特許文献１参照。）。このような防音室を室内に設置する際に、天井パネルや壁パネルを連結する作業を防音室の外側から行うのは、壁や天井などによる制約のために困難なことがある。そこで、図５で例示する防音室１０１のように、断面が逆Ｌ字形の連結具１０９を用いて防音室１０１の内側から壁パネル１０３と天井パネル１０５とを連結することが考えられている。
この連結具１０９は、垂直部分１０９ａと水平部分１０９ｂとを有しており、このうち垂直部分１０９ａは壁パネル１０３の内壁にインサートナット１１１およびボルト１１３で取り付けられ、一方、水平部分１０９ｂは天井パネル１０５の内壁にインサートナット１１１およびボルト１１３で取り付けられている。
【０００３】
【特許文献１】
特開平７−２５９２０９号公報（第１頁、図５）
【０００４】
【発明が解決しようとする課題】
しかし、このような防音室においては、上述の連結具１０９の垂直部分１０９ａおよび水平部分１０９ｂが共に室内側へ露出する。一般的に、壁パネルの内壁や天井パネルの内壁に取り付けられた構造物が、天井パネルの内壁や壁パネルの内壁の色調や模様等と調和する場合には防音室の見栄えがよい。しかし、連結具やボルトなどが壁パネルの内壁や天井パネルの内壁に取り付けられた場合、天井パネルの内壁や壁パネルの内壁の色調や模様等と調和しにくく、その場合には防音室の内観の見栄えが悪くなってしまう。
【０００５】
この見栄えの悪さは、連結具１０９の水平部分１０９ｂよりも垂直部分１０９ａにより多く起因していると考えられる。すなわち、水平部分１０９ｂは、天井パネル５の内壁に取り付けられているために、その姿が斜視されて実際よりも小さく感じられるのに比べて、垂直部分１０９ａは、壁パネル３の内壁に取り付けられて鉛直方向に配されるためにそのままの大きさに感じられる。
【０００６】
本発明は、このような不具合に鑑みなされたものであり、その目的とするところは、防音室の内観の見栄えをよくすることにある。
【０００７】
【課題を解決するための手段及び発明の効果】
上記課題を解決するためになされた請求項１の防音室は、壁パネル（３：この欄においては、発明への理解の容易化のため、必要に応じて実施の形態中で用いた符号を付すが、この符号によって請求の範囲を限定することを意味するものではない。）と天井パネル（５）とを、前記壁パネルの内壁に取り付けられる壁側取付部（９ａ）と前記天井パネルの内壁に取り付けられる天井側取付部（９ｃ）とを有する連結具（９）によって互いに密着させながら連結した防音室（１）において、前記天井パネルの内壁は、前記壁パネルと前記天井パネルとが前記連結具によって連結した際に前記天井パネルが前記壁パネルと密着するところよりも下方に位置する取付面（５ａ）を有し、前記壁側取付部は、前記壁パネルと前記天井パネルとが前記連結具によって連結した際に前記取付面とほぼ同じ高さに位置するか、または前記取付面よりも上方に位置しており、前記天井側取付部は、その一端が前記壁側取付部の下端付近に連続しており、さらに前記取付面に取り付けられていることを特徴とする。
【０００８】
従来は、図５にて例示するように、壁パネル（１０３）と天井パネル（１０５）とを連結具（１０９）によって連結した際に、連結具が露出していた。この連結具の垂直部分（１０９ａ）は、壁パネルの内壁に取り付けられて鉛直方向に配されるために看者の視界に入りやすかった。そして、垂直部分１０９ａが看者の視界に入った場合、この垂直部分１０９ａに連続する水平部分１０９ｂまでもが看者の視界に入ってしまう。さらに、このような連結具は、天井パネルの内壁や壁パネルの内壁の色調や模様等と調和しにくい。以上のようなことから防音室１の内観の見栄えが悪くなっていた。
【０００９】
これに対して、本請求項の防音室（１）においては、壁側取付部（９ａ）は、壁パネルと天井パネルとが連結具によって連結した際に取付面（５ａ）とほぼ同じ高さのところまたは取付面よりも高いところ、すなわち壁パネルと天井パネルとの間の空間に位置する。さらに、この壁側取付部から連続する天井側取付部は、天井パネルの取付面に取り付けられているので、天井パネルと壁パネルとの間の空間を下方から覆うこととなり、この空間（つまりこの空間に位置する壁側取付部）を看者から見えなくしている。したがって、室内からは天井側にある天井側取付部しか見えず、防音室の内観の見栄えをよくできる。
【００１０】
ところで、従来は、防音室の内観の見栄えをよくするために、露出した連結具を被覆物によって覆うことが考えられていた。しかし、上述のように壁パネルの内壁に取り付けられて鉛直方向に配された垂直部分を被覆物で覆っても、壁パネルの内壁に取り付けられた部分が大きくなってしまって却って看者の視界に入りやすくなっていた。そこで、上述の請求項１のように、室内からは天井側にある天井側取付部しか見えなくした上で、請求項２のように被覆物（１５）を天井側取付部に被せれば、連結具が看者の視界に入りにくくした上で看者の視界に入った場合に備えて天井側取付部の見栄えをよくしておくことができる。
【００１１】
さて、壁側取付部を壁パネルの内壁に取り付けるための構成としては、請求項３のように、壁パネルの内壁に、天井パネルを壁パネルに載せた際に天井パネルの取付面とほぼ同じ高さに位置するか、または天井パネルの取付面よりも上方に位置する差込穴（３ｂ）を設け、且つ壁側取付部の少なくとも一部（９ｂ）を差込穴に差し入れたことが考えられる。このような構成にすれば、壁側取付部を壁パネルに取り付けるには、その少なくとも一部を差込穴に差し込めばよいので、壁側取付部を壁パネルに正確に取り付けることが出来る。また、施工時に壁側取付部の取付位置を決める必要がなく、作業が容易となる。
【００１２】
なお、上述のような差込穴を、例えば溝や長孔のように水平方向に細長く形成することも考えられる。このような構成にすれば、差込部を差込溝や差込長孔に差し込む際に、天井パネルとの距離を一定に保ちながら連結具を水平方向にスライドさせることができ、取付位置の微調整など作業の際に有利である。
【００１３】
一方、天井側取付部を天井パネルの取付面に取り付けるための構成としては、請求項４のように、天井側取付部に貫通穴を設け、貫通穴を通した止めねじを、天井パネルの取付面にねじ入れることにより天井側取付部を天井パネルの取付面に取り付けるような構成が考えられる（図１にて例示。）。
【００１４】
この場合、天井パネルの取付面にねじ穴を設け、このねじ穴に止めねじをねじ入れるようにしてもよい。また、取付面にねじ穴を設ける代わりにインサートナットを埋設させてもよい。また、止めねじの代わりにボルトを用いてもよい。さらに、天井パネルの取付面にねじ穴が無くても、天井側取付部の貫通穴を通した木ねじによって天井側取付部を天井パネルの取付面に取り付けてもよい。
【００１５】
さて、請求項５のように、天井パネルを壁パネルに載せた際には、天井側取付部と取付面との間に隙間が生じるように構成することが考えられる。このような構成により、上述のように貫通穴を通した止めねじをナットにねじ入れて天井側取付部と取付面との間の隙間を狭めるようにすれば、天井パネルと壁パネルとの密着度合いが高まり、この部分の防音性能が向上する。
【００１６】
ところで、壁パネルと天井パネルとが当接するところに凹凸などがあった場合には、そこに隙間が生じて音が漏れてしまうことがある。そこで、請求項６のように、天井パネルを壁パネルに載せた際に壁パネルと天井パネルとが当接するところに、ウレタンシートやゴムなどの弾性体（７）を配することが考えられる（図１にて例示）。このような構成にすれば、壁パネルと天井パネルとを連結した際に生じた隙間を、押しつぶされた弾性体が埋めるので、この部分から音が漏れるのを防ぐことができる。
【００１７】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１８】
図１は、実施例の防音室１の壁パネル３と天井パネル５とが連結具９によって連結された箇所の部分断面図である。なお、以降、この防音室１において、防音室１の内側を「室内側」とし、防音室１の外側を「室外側」とする。また、図２は実施例の防音室１の連結具９の説明図である。
【００１９】
図１に示す防音室１は、図示しない方形の床パネルと、４枚の方形の壁パネル３と、方形の天井パネル５とを備えており、これらを主として室内にて組み立てて設置するように構成されている。
これら床パネル、壁パネル３および天井パネル５は、それぞれ防音構造を有している。ここで、防音構造とは、枠体と、枠体の表裏両面を覆うようにそれぞれ設けられた、遮音材である表面ボードおよび裏面ボードと、これら枠体、表面ボードおよび裏面ボードで構成された内部空間に充填された吸音材であるグラスウールとで多層に構成したものであり、遮音性能および吸音性能に優れている。なお、防音構造の構成は上述の構成に限られない。
【００２０】
上述の防音室１を構成する床パネルは、組み立て時に、室内の床の上などの設置位置に置かれる。そして４枚の壁パネル３が、この床パネルの周囲を囲むように立設されて周壁を形成する。この際、これら隣接する壁パネル３同士は、図示しない連結具を用いて互いに密着するように連結される。なお、隣接する壁パネル３同士の連結構造は公知技術に従っているので、詳細な説明は省略する。
【００２１】
［壁パネル３の構造］
上述の各壁パネル３上部の室内側には段差部３ａが形成されており、その室内側の方がその室外側よりも低くなっている。これら各段差部３ａには、弾性体としてのウレタンシート７が接着剤でそれぞれ張られており、このウレタンシート７を介して天井パネル５が載せられている。なお、このウレタンシート７が張られているのは、天井パネル５を壁パネル３に載せた際に、壁パネル３の段差部３ａに天井パネル５の段差部５ｂが載る部分である。
【００２２】
また、壁パネル３の内壁には、差込溝３ｂがその全幅に渡って水平方向に設けられている。この差込溝３ｂは、後述するように天井パネル５が壁パネル３の上に載せられた際の天井パネル５下面の四辺端付近（以下、取付面５ａと称する。）よりも上方に位置する。天井パネル５の取付面５ａ・段差部５ｂ以外の部分については後述する。
【００２３】
なお、その他にも壁パネル３にはドアユニットや窓ユニットなどが設けられるものがあるが、ここでは詳細な説明を省略する。また、壁パネル３の枚数は上述の４枚に限られず、例えば床パネルの一辺に対して複数の壁パネル３を隣接させて互いを連結するようにしてもよいし、また壁パネル３を上下に積み上げて互いを連結するようにしてもよい。
【００２４】
［連結具９の構造］
さて、壁パネル３の内壁には、その全幅に渡って連結具９が取り付けられている。この連結具９は、図２に示すように、鉄やアルミニウムなどの略方形の金属板を、その中央部（壁側取付部９ａ）を残してその上部（差込部９ｂ）を鉤状に屈曲させるとともに、その下部（天井側取付部９ｃ）をその上部とは反対側に向けて鉤状に屈曲させた構造になっている。これら壁側取付部９ａ、差込部９ｂおよび天井取付部９ｃは、それぞれ略方形状である。また、差込部９ｂにおける壁側取付部９ａとの境界からその先端までの長さは、壁パネル３の差込溝３ｂの深さよりも短く設定されている。さらに、この差込部９ｂは差込溝３ｂに差し込まれており、壁側取付部９ａが壁パネル３の内壁に当接した状態で連結具９が壁パネル３に取り付けられている。一方、天井側取付部９ｃには、複数の貫通穴９ｄが設けられている。
【００２５】
［天井パネル５の構造他］
さて、図１に戻り、上述の防音室１を構成する天井パネル５の外周は、上述の４枚の壁パネル３の段差部３ａによって形成される周壁の上部の室内側よりも若干小さくなっている。また、天井パネル５の四辺端部には、段差部５ｂが形成されており、この段差部５ｂは取付面５ａよりも一段高くなっている。そして、この天井パネル５は、その段差部５ｂを、上述の周壁上部の室内側（ウレタンシート７が張られた段差部３ａ）に載せられている。この際、壁パネル３の内壁と天井パネル５との間には、連結具９の壁側取付部９ａの厚みよりも若干広い隙間が形成されるとともに、天井パネル５の取付面５ａと天井側取付部９ｃの上面との間には、若干の隙間が形成されている。
【００２６】
また、天井パネル５の取付面５ａには、インサートナット１１が埋め込まれている。このインサートナット１１は、上述のように天井パネル５を壁パネル３に載せた際に、取付面５ａに接する壁側取付部９ｃの貫通穴９ｄのほぼ真上に位置するように設定されており、貫通穴９ｄを下方から通されたボルト１３がこのインサートナット１１にねじ入れられている。このことにより、壁パネル３の段差部３ａと天井パネル５の段差部５ｂとの間が狭まり、両者に挟まれたウレタンシート７が押しつぶされて隙間を埋め尽くした状態となっている。なお、その他にも天井パネル５には消音換気ダクトや照明器具、換気扇などが設けられるものがあるが、ここでは詳細な説明を省略する。
【００２７】
さらに、これら天井側取付部９ｃおよびボルト１３の周りには被覆物１５が接着剤で取り付けられている。
なお、防音室１の他の構成は公知技術に従っているので、詳細な説明は省略する。
【００２８】
［壁パネル３および天井パネル５の連結手順］
次に壁パネル３および天井パネル５の連結手順を説明する。なお、これ以外の防音室１の組み立て手順の説明はここでは省略する。
床パネルの周りを囲むように立設された壁パネル３の差込溝３ｂに、連結具９の差込部９ｂを差し入れて壁側取付部９ａを壁パネル３の内壁に当接させる。これにより、連結具９を壁パネル３に取り付けることができる。
【００２９】
次に天井パネル５を壁パネル３に載せる。具体的には、天井パネル３の段差部５ｂが下向きとなる姿勢にしたのち、その段差部５ｂを壁パネル３の段差部３ａにウレタンシート７を介して合わせるようにして載せる。このとき、壁側取付部９ａが、天井パネル５と壁パネル３との間に位置する。また、連結具９の貫通穴９ｄが天井パネル５のインサートナット１１のほぼ真下に位置する。
【００３０】
続いてボルト１３を、貫通穴９ｄの下方から通し、さらにインサートナット１１にねじ入れる。すると、まず連結具９と天井パネル５とが完全に接触し、続いて天井パネル５が下方に引き寄せられて天井パネル５の段差部５ｂと壁パネル３の段差部３ａとの距離が狭まり、ウレタンシート７が押しつぶされる。すなわち、天井パネル５と壁パネル３との密着度合いが高まり防音性能が高まる。
【００３１】
最後に、被覆物１５を天井側取付部９ｃおよびボルト１３の周りに接着剤で取り付ける。
［効果］
このように、本実施例の防音室１においては、壁側取付部９ａが位置する壁パネル３と天井パネル５との間の空間を天井側取付部９ｃが覆っているので、看者からは壁側取付部９ａが見えない。したがって、防音室１の内観の見栄えをよくできる。
【００３２】
さらに、連結具９の天井側取付部９ｃおよびボルト１３を被覆物１５で覆うことにより回り縁として機能するので、防音室１の内観の見栄えをさらによくできる。
［別実施例］
（１）上記実施例の差込溝３ｂは、取付面５ａよりも高い位置にあるが、取付面５ａと同レベルに位置するようにしてもよい。この場合、連結具を図３（ａ）に示すように、壁側取付部９ａ、差込部９ｂおよび天井側取付部９ｃを一枚の板状に形成することが考えられる。
（２）上記実施例の天井側取付部９ｃの上面と天井パネル５の取付面５ａとの間には、天井パネル５が壁パネル３の上に載せられた際に、若干の隙間が形成されているが、両者が接するように構成してもよい。
（３）また、次のような連結具を用いて上述のような隙間が生じるようにしてもよい。すなわち、図３（ｂ）に示す連結具２１および図３（ｃ）に示す連結具２３のように、天井側取付部９ｃが、水平方向から若干下向きに壁側取付部９ａから延出するように構成する。
（４）上記実施例の防音室１では、壁パネル３に差込溝３ｂを設け、且つ連結具９に差込部９ｂを設けたが、壁パネル３の内壁にインサートナットを埋設し、且つ壁側取付部９ａに貫通穴を設け（図４（ａ））、ボルトを、貫通穴を通してナットにねじ入れるように構成してもよい。
（５）上記実施例の防音室１では、壁パネル３の内壁の全幅に渡って連結具９が取り付けられているが、複数の短尺の連結具２７（図４（ｂ）参照）を例えば等間隔に取り付けてもよい。
（６）上記実施例の防音室１では、天井パネル５にインサートナット１１を埋設しているが、インサートナット１１を用いずに、天井パネル５に下穴を開けておき、貫通穴９ｄを通したボルトをねじ入れるようにしてもよい。また、ボルトの代わりに止めねじや木ねじを用いてもよい。
（７）上記実施例の防音室１では、被覆物１５が天井側取付部９ｃおよびボルト１３を覆っているが、キャップでボルト１３の頭部のみを覆う構成でもよい。
【図面の簡単な説明】
【図１】実施例の防音室の壁パネルと天井パネルとが連結具によって連結された箇所の部分断面図である。
【図２】実施例の防音室の連結具の説明図である。
【図３】（ａ）は連結具の別実施例（１）の側断面図であり、（ｂ）は連結具の別実施例（２）の側断面図であり、（ｃ）は連結具の別実施例（３）の側断面説である。
【図４】（ａ）は連結具の別実施例（４）の説明図であり、（ｂ）は連結具の別実施例（５）の説明図である。
【図５】従来の防音室の壁パネルと天井パネルとが連結具によって連結された箇所の部分断面図である。
【符号の説明】
１，１０１…防音室、３，１０３…壁パネル、３ａ，５ｂ…段差部、３ｂ…差込溝、
５，１０５…天井パネル、５ａ…取付面、７，１０７…ウレタンシート、
９，１９，２１，２３，２５，２７，１０９…連結具、
９ａ，１９ａ，２１ａ，２３ａ，２５，２７ａ…壁側取付部、
９ｂ，１９ｂ，２１ｂ，２３ｂ，２７ｂ…差込部、
９ｃ，１９ｃ，２１ｃ，２３ｃ，２５ｂ，２７ｃ…天井側取付部、
９ｄ，２５ｃ，２７ｄ…貫通穴、１１，１１１…インサートナット、
１３，１１３…ボルト、１５…被覆物、１０９ａ…垂直部分、１０９ｂ…水平部分
【図１】
2004092300.tif 000003
【図２】
2004092300.tif 000004
【図３】
2004092300.tif 000005
【図４】
2004092300.tif 000006
【図５】
2004092300.tif 000007